(57)【要約】【課題】エンジンの低負荷域側でのエンジン回転数の安定性、高負荷域側でのエンジン回転数の応答性をいずれも改善することができる燃料噴射量の制御方法を提供すること。【解決手段】無負荷回転数ＮＥｍａｘに隣接するエンジン回転数ＮＥの領域であるガバニング領域Ａにおける燃料噴射量Ｑの制御方法である。無負荷回転数ＮＥｍａｘと、エンジンの運転状態がガバニング領域Ａ内にあるときのエンジン回転数ＮＥとの差である乖離回転数ＮＥｄｅｌを算出し、乖離回転数ＮＥｄｅｌから燃料噴射量Ｑのなまし係数ｍを求めて、なまし係数ｍに基づき燃料噴射量Ｑを制御する。【選択図】図２
2009002302.tif 000002
【特許請求の範囲】
【請求項１】
無負荷回転数に隣接するエンジン回転数の領域であるガバニング領域における燃料噴射量の制御方法であって、
前記無負荷回転数と、エンジンの運転状態が前記ガバニング領域内にあるときのエンジン回転数との差である乖離回転数を算出する工程を備え、
前記乖離回転数から燃料噴射量のなまし係数を算出し、当該なまし係数に基づき燃料噴射量を制御することを特徴とする、燃料噴射量の制御方法。
【請求項２】
前記なまし係数は、エンジン回転数の変化に対する燃料噴射量の変化を、エンジンの運転状態が低負荷域側にある場合には小さく、高負荷域側にある場合には大きくするように燃料噴射量を制御する係数であることを特徴とする、請求項１に記載の燃料噴射量の制御方法。
【請求項３】
フォークリフト用エンジンに供給する燃料の噴射量制御に用いることを特徴とする、請求項１又は請求項２に記載の燃料噴射量の制御方法。
【発明の詳細な説明】
【技術分野】
【０００１】
本発明は、エンジンの回転数を調速するガバニング時の燃料噴射量の制御方法に関する。
【背景技術】
【０００２】
エンジンの回転数制御においては、エンジンの高出力な運転と過回転の防止とを両立させるため、エンジンの無負荷回転数（理論的に燃料噴射量を０にする最高回転数）を定めると共に、各アクセル開度における無負荷回転数に隣接する回転数領域（以下、この回転数領域を「ガバニング領域」と称す）にて、エンジン回転数の増加に対し急激に燃料噴射量を減少させる噴射量制御が行われている。
この噴射量制御においては、ガバニング領域において設定した燃料噴射量とエンジン回転数との関係を示すライン（以下、「ガバニングライン」と称す）の勾配が急になり、つまり、エンジン回転数の微小な変化に対する燃料噴射量の増減が大きくなり、特に、コモンレール式燃料噴射装置を備えたディーゼルエンジンの場合、エンジン回転数の変化に対して燃料噴射量が即座に算出、噴射されるため、設定燃料噴射量に対して過大、または過小に燃料を噴射してしまう。その結果、エンジン回転数を一定に保つことができず、エンジンの回転不安定状態（ハンチング状態）が発生するという問題があった。この問題は、特に、エンジンの低負荷域で頻繁に発生していた。
【０００３】
一方、エンジン回転数の変化を機械的に検出する調速機である機械式ガバナを有する燃料噴射装置の場合には、ガバナの機械的な応答遅れがあり、その遅れを機械的に調整することで燃料噴射量の過大な増減を抑制しようとしている。しかし、エンジンの高負荷域においては、ガバナの機械的な応答遅れに起因して燃料噴射量の増加も遅れ、エンジン回転数低下という問題を生じていた。すなわち、エンジンが低負荷域にある場合には、ガバナの機械的な応答遅れを利用することで、エンジンのハンチングをある程度抑制し得るが、エンジンが高負荷域にある場合には、ガバナの機械的な応答遅れに起因してエンジン回転数の応答性が悪化するという問題があった。このような背景のもと、例えば、下記の特許文献１に開示されているような技術が提案されている。
【０００４】
従来、エンジン回転数に基づく最大燃料噴射量制御値、ＰＩＤ制御に基づく最高回転数制御値など、燃料噴射量設定のための複数の値を算出して比較し、最終の燃料噴射量制御値を選択するディーゼルエンジンの燃料制御装置に関する技術が提案、開示されている（特許文献１参照）。このディーゼルエンジンの燃料制御装置は、燃料噴射量設定のためのＰＩＤ制御により求められる値、オープン制御により求められる値などを比較し、その中で最小の値を最終の燃料噴射量制御値として選択することで、エンジンのハンチングを抑制しようとするものである。
【０００５】
【特許文献１】特開平０８−７４６４３号公報
【発明の開示】
【発明が解決しようとする課題】
【０００６】
しかしながら、特許文献１に記載されたディーゼルエンジンの燃料制御装置では、エンジンが低負荷域側の運転状態にあるのか、または、高負荷域側の運転状態にあるのかというエンジンの負荷状態を判断して適宜燃料噴射量を選択しているわけではなく、つまり、エンジンの負荷状態に適切に対応した燃料噴射量を適宜選択することはできていない。すなわち、この燃料制御装置は、エンジンの低負荷域側でのエンジン回転数の安定性、高負荷域側でのエンジン回転数の応答性を改善し得るものではない。尚、エンジンの燃料噴射量を制御するにあたって、エンジンの実際の負荷を直接検出することは困難である。
【０００７】
本発明は、上記実情に鑑みてなされたものであって、その目的は、エンジンの低負荷域側でのエンジン回転数の安定性、高負荷域側でのエンジン回転数の応答性をいずれも改善することができる燃料噴射量の制御方法を提供することである。
【課題を解決するための手段及び効果】
【０００８】
本発明に係る燃料噴射量の制御方法は、エンジンの回転数を調速するガバニング時の燃料噴射量の制御方法に関する。そして、本発明に係る燃料噴射量の制御方法は、上記目的を達成するために以下のようないくつかの特徴を有している。すなわち、本発明の燃料噴射量の制御方法は、以下の特徴を単独で、若しくは、適宜組み合わせて備えている。
【０００９】
上記目的を達成するための本発明に係る燃料噴射量の制御方法における第１の特徴は、無負荷回転数に隣接するエンジン回転数の領域であるガバニング領域における燃料噴射量の制御方法であって、前記無負荷回転数と、エンジンの運転状態が前記ガバニング領域内にあるときのエンジン回転数との差である乖離回転数を算出する工程を備え、前記乖離回転数から燃料噴射量のなまし係数を算出し、当該なまし係数に基づき燃料噴射量を制御することである。
【００１０】
この構成によると、エンジンの負荷状態を上記剥離回転数の値で判断することができる。この剥離回転数から燃料噴射量のなまし係数を算出し、このなまし係数に基づき燃料噴射量を制御することにより、エンジンの負荷状態に応じた適切な燃料噴射量を決定することができ、その結果、エンジンの低負荷域側でのエンジン回転数の安定性、高負荷域側でのエンジン回転数の応答性をいずれも改善することが可能となる。
【００１１】
また、本発明に係る燃料噴射量の制御方法における第２の特徴は、前記なまし係数は、エンジン回転数の変化に対する燃料噴射量の変化を、エンジンの運転状態が低負荷域側にある場合には小さく、高負荷域側にある場合には大きくするように燃料噴射量を制御する係数であることである。
【００１２】
この構成によると、エンジンの運転状態が低負荷域側にある場合には、燃料噴射量の過大な増減は抑制され、エンジンのハンチングは発生しにくい。つまり、エンジン回転数が安定する。また、エンジンの運転状態が高負荷域側にある場合には、燃料噴射量が十分変化するので、エンジン回転数の応答性はよくなる。
【００１３】
また、本発明に係る燃料噴射量の制御方法における第３の特徴は、フォークリフト用エンジンに供給する燃料の噴射量制御に用いることである。
【００１４】
この構成によると、フォークリフトを用いた荷役運搬作業時に、エンジン回転数低下というエンジン回転数の応答性悪化を抑制できる。また、荷役を運搬しない走行時には、エンジンのハンチングを抑制できる。
【発明を実施するための最良の形態】
【００１５】
以下、本発明を実施するための形態について図面を参照しつつ説明する。
以下の説明においては、フォークリフトのような動力付荷役運搬車両に搭載されたディーゼルエンジンのコモンレール式燃料噴射装置における燃料噴射量の制御方法について説明する。図１は、本発明の一実施形態に係る燃料噴射量の制御方法を説明するためのディーゼルエンジンのエンジン回転数ＮＥと燃料噴射量Ｑとの関係を示す図である。
【００１６】
まず、図１に示すように、設定された燃料噴射量Ｑとエンジン回転数ＮＥとの関係を示すガバニングラインＢは、エンジン回転数ＮＥが増加するのに伴い燃料噴射量Ｑが減少する勾配θを持ったラインであり、勾配θは、燃料噴射量Ｑ軸に対するガバニングラインＢの傾きである。例えば、投入負荷が急で大きい場合は、勾配θは急な勾配に設定される。
【００１７】
ここで、例えばフォークリフトが定常状態にて運転されていたとすると、エンジンの制御コントローラ（不図示）により燃料噴射量Ｑが制御され、エンジンの燃料噴射量Ｑおよびエンジン回転数ＮＥは、図１に示すガバニングラインＢ上の運転状態となるように制御される。この定常状態において、エアコン又は他ＰＴＯ機器のＯＮ／ＯＦＦの変更を行ったり、荷役操作を行ったりすると、エンジンの負荷が変動することによりエンジン回転数ＮＥが増減し、エンジン回転数ＮＥと燃料噴射量Ｑとで示されるエンジンの運転状態がガバニングラインＢ上より外れた状態となる。その場合、制御コントローラは、エンジンの運転状態が、ガバニングラインＢ上に戻るように、燃料噴射量Ｑを制御する。
【００１８】
ここで、ガバニングラインＢのうち燃料噴射量Ｑが減少する方向（矢印Ｙで示す方向）は、エンジンの負荷が低い低負荷域側であり、また、燃料噴射量Ｑが増加する方向（矢印Ｘで示す方向）は、エンジンの負荷が高い高負荷域側である。前記したように、コモンレール式燃料噴射装置を備えたディーゼルエンジンの場合、エンジン回転数の変化に対して燃料噴射量が即座に算出、噴射されるため、燃料噴射装置は、設定燃料噴射量に対して過大、または過小に燃料を噴射してしまう。その結果、エンジン回転数を一定に保つことができず、ハンチング状態が発生するという問題があった。この問題は、特に、エンジンの低負荷域側で頻繁に発生していた。これに対し、エンジンの高負荷域側では、低負荷域側に比べてハンチングの発生頻度が少ないものの、エンジンの応答性が低負荷域側に比べて悪いため、エンジンに負荷変動が生じた場合に、エンジン回転数ＮＥが迅速にガバニングラインＢ上に戻らないという問題があった。そこで、本発明者らは、エンジンの低負荷域側に適切な燃料の噴射量制御、高負荷域側に適切な燃料の噴射量制御をそれぞれ区別して実現するために、エンジンの負荷状態を適確に判別するための「乖離回転数ＮＥｄｅｌ」という指標を見出した。
【００１９】
ここで、「乖離回転数ＮＥｄｅｌ」について説明する。図１に示すラインＤは、エンジンが無負荷の場合のエンジン回転数ＮＥと燃料噴射量Ｑ（無負荷噴射量）との関係を示すラインである。そして、このラインＤとガバニングラインＢとが交差するポイントのエンジン回転数ＮＥは、無負荷回転数（最高回転数）ＮＥｍａｘである。乖離回転数ＮＥｄｅｌは、無負荷回転数ＮＥｍａｘと、エンジンの運転状態がガバニング領域Ａ内にあるのときの（例えば、図１で示すＰ１、Ｐ２の状態）エンジン回転数ＮＥとの差である。エンジン回転数ＮＥは、エンジンの回転数を検知するエンジン回転数センサ（不図示）で検出できる数値であるため、その値を容易にかつ正確に把握でき、つまり乖離回転数ＮＥｄｅｌも容易にかつ正確に把握できる。
【００２０】
一方、エンジンの低負荷域側でのハンチングを抑制するためには、設定燃料噴射量に対する過大、または過小な燃料噴射を抑えることが必要であり、そのためにはエンジン回転数ＮＥの変化に対する燃料噴射量Ｑの変化が小さくなるように燃料噴射量Ｑを制御することが好ましい。すなわち、目標とするガバニングラインＢに対して、図１中右に示したエンジン回転数ＮＥと燃料噴射量Ｑとの関係を示すラインＣのように、エンジンの負荷が低い低負荷域側では、燃料噴射量Ｑ軸に対するラインＣの傾きである勾配θ２を、ガバニングラインＢの勾配θよりも緩やか（θ２>θ）となるように燃料噴射量Ｑを制御することが好ましい。また、エンジンの高負荷域側でのエンジンの応答性を改善するためには、エンジン回転数ＮＥの変化に対する燃料噴射量Ｑの変化が大きくなるように燃料噴射量Ｑを制御することが好ましい。すなわち、目標とするガバニングラインＢに対して、ラインＣのように、エンジンの負荷が高い高負荷域側では、燃料噴射量Ｑ軸に対するラインＣの傾きである勾配θ１を、ガバニングラインＢの勾配θよりも急（θ１＜θ）となるように燃料噴射量Ｑを制御することが好ましい。「乖離回転数ＮＥｄｅｌ」という指標を用いれば、エンジンの運転状態が低負荷域側にあるのか、高負荷域側にあるのか適確に判断することができる。
【００２１】
尚、図１に示すガバニングラインＢは、アクセル開度ＡＣＣＰが１００％のときの設定されたエンジン回転数ＮＥと燃料噴射量Ｑとの関係を示すラインであるが、アクセル開度ＡＣＣＰが９０％、８０％、・・・等、任意のアクセル開度のときの燃料噴射量Ｑとエンジン回転数ＮＥとの関係も予め設定されている。一例として、アクセル開度ＡＣＣＰが５０％の時のラインを、図１に一点鎖線で示す。また、ガバニング領域Ａは、エンジン回転数ＮＥの増加に対応して燃料噴射量Ｑを減少させる領域、すなわち、ガバニングラインＢ全体を包含する領域であり、アクセル開度ＡＣＣＰが５０％となると、そのときのガバニング領域は、アクセル開度ＡＣＣＰが５０％の時のラインと同様、図１中左に移動する。一方、アクセルペダルを踏み込んだときの走行時の車速の伸びを運転者が適度に感じるためには、勾配θはある程度、確保しておく必要がある。また、複数台の発電機で同調制御を行う場合にも、所定の勾配θが必要である。
【００２２】
次に、図２、図３および図４に基づき、乖離回転数ＮＥｄｅｌを用いた燃料噴射量Ｑの制御方法について具体的に説明する。図２は、図１のＥ部を示し、燃料噴射量Ｑの算出方法を具体的に説明するための図である。図３は、燃料噴射量Ｑの算出フローを示す図である。図４は、各アクセル開度ＡＣＣＰにおける無負荷回転数の設定例、およびなまし係数のマップ例を示す図である。
【００２３】
図２に示す図１のＥ部は、エンジンの負荷が低い低負荷域側を示している。エンジンの制御コントローラ（不図示）は、エンジン回転数センサ（不図示）、アクセルセンサ（不図示）などからの信号を連続的に取り込み、そして、これら信号をＡ／Ｄ変換して、エンジン回転数ＮＥ、アクセル開度ＡＣＣＰなどを求めている。尚、これら各種信号の取り込みは、数１０ｍｍｓｅｃのサンプリング間隔で行われる。そして、エンジン回転数ＮＥ、燃料噴射量Ｑにより示されるエンジンの運転状態がガバニング領域Ａにある場合、以下の制御が実行される。ここで、説明の都合上、任意時間ｉにおけるエンジン回転数をＮＥｉ、燃料噴射量をＱｉとする。このときのエンジン回転数ＮＥを横軸に燃料噴射量Ｑを縦軸にとった座標平面上における、ＮＥｉおよびＱｉから定まる座標点（ＮＥｉ、Ｑｉ）は、アクセル開度ＡＣＣＰが１００％のときのガバニングラインＢ上に乗っていると仮定する。
【００２４】
ここで、エンジンに負荷が入ったとすると、エンジン回転数ＮＥｉは落ち、１サンプリング後のエンジン回転数はＮＥｉ+1となる。このとき、座標点（ＮＥｉ、Ｑｉ）は、エンジン回転数ＮＥ軸に対して平行に移動し、エンジンの運転状態は、座標点（ＮＥｉ＋１、Ｑｉ）に移る。このとき、図３に示すように、制御コントローラの演算器には、エンジン回転数ＮＥｉ＋１、燃料噴射量Ｑｉ、アクセル開度ＡＣＣＰの各値が入力される（ステップ１、以下Ｓ１と記載する。他のステップも同様）。そして、アクセル開度ＡＣＣＰが１００％であった場合、制御コントローラによりガバニングラインＢが選択され、演算器は、ガバニングラインＢとラインＤとが交差するポイント（図２参照）のエンジン回転数ＮＥ、すなわちアクセル開度ＡＣＣＰが１００％のときのエンジンの無負荷回転数（最高回転数）ＮＥｍａｘを求める（Ｓ２）。ここで、各アクセル開度ＡＣＣＰにおけるエンジンの無負荷回転数ＮＥｍａｘは、予め求められており、例えば図４（ａ）に示すような値の２次元テーブルとして、制御コントローラ内に蓄えられているものを用いる。本実施例においては、アクセル開度ＡＣＣＰが１００％であるので、図４（ａ）よりＮＥｍａｘは、２８００ｒｐｍとなる。
【００２５】
次に、無負荷回転数ＮＥｍａｘとエンジン回転数ＮＥｉ＋１との差である剥離回転数ＮＥｄｅｌを求める（Ｓ３）。その後、例えば図４（ｂ）に示すような、予め定められ制御コントローラ内に蓄えられている、アクセル開度ＡＣＣＰと剥離回転数ＮＥｄｅｌとで定まるなまし係数ｍのマップより、なまし係数ｍを求める（Ｓ４）。一方、演算器は、座標点（ＮＥｉ＋１、Ｑｉ）から燃料噴射量Ｑ軸に平行に延長させたラインと、ガバニングラインＢとが交差するポイント（図２参照）の燃料噴射量Ｑ、すなわちエンジン回転数ＮＥｉ＋１のときのガバナより算出される燃料噴射量Ｑｇｏｖを求める（Ｓ５）。そして、燃料噴射量Ｑｉ、Ｑｇｏｖ、およびなまし係数ｍより、ｉ＋１番目の燃料噴射量Ｑｉ＋１を下記の式（Ａ）に基づき算出する（Ｓ６）。尚、剥離回転数ＮＥｄｅｌが、非常に小さい値であって、予め定められた不感帯回転数ＮＥｓ以下である場合、座標点（ＮＥｉ＋１、Ｑｉ）は、ガバニングラインＢ上にほぼ位置していると判断し、なまし係数ｍをゼロとする。
（数１）
Ｑｉ＋１＝Ｑｇｏｖ×ｍ＋Ｑｉ×（１−ｍ）        ・・・・・・・・・・・・（Ａ）
【００２６】
次に、算出された燃料噴射量Ｑｉ＋１が、エンジンの上限燃料噴射量Ｑmax以下か否かが判断され（Ｓ７）、Ｑｉ＋１≦Ｑｍａｘの場合、次回の燃料噴射量は、Ｑｉ＋１で決定し（Ｓ８）、Ｑｉ＋１＞Ｑmaxの場合、燃料噴射量は、Ｑｍａｘで決定する（Ｓ９）。そして、エンジンの制御コントローラは、決定した燃料噴射量Ｑｉ＋１に基づき、エンジンにＱｉ＋１の燃料が供給されるよう燃料噴射装置を制御する。
【００２７】
燃料噴射量Ｑが、ＱｉからＱｉ＋１に変化することで、エンジンの発生トルクが変化し（図２に示す場合は、燃料噴射量Ｑが増加しトルクアップする）、エンジン回転数ＮＥがＮＥｉ＋１からＮＥｉ＋２へ上昇することで、エンジンの運転状態は、座標点（ＮＥｉ＋２、Ｑｉ＋１）に移行しようとする。図４（ｂ）に示すように、なまし係数ｍは、剥離回転数ＮＥｄｅｌが比較的低い、すなわち、エンジンの運転状態が低負荷域側にある場合は、０＜ｍ＜１の値となり、エンジン回転数ＮＥの変化に対する燃料噴射量Ｑの変化量（ＱｉからＱｉ＋１へ変化しようとする変化量）を、ＱｉからＱｇｏｖへ変化しようとする変化量よりも小さくするように設定され、また、剥離回転数ＮＥｄｅｌが増加するにつれ大きな値となるように設定されている。エンジンの負荷状態を剥離回転数ＮＥｄｅｌで判別し、剥離回転数ＮＥｄｅｌからなまし係数ｍを算出し、なまし係数ｍを用いて燃料噴射量Ｑｉ＋１を算出して燃料噴射量Ｑを制御することにより、図２に示すようなエンジンの運転状態が低負荷域側にある場合には、燃料噴射量Ｑの過大な増減は抑制され、つまり、燃料噴射量Ｑの噴射感度を適度に調整することが可能となり、エンジンのハンチングは発生しにくくなる。
【００２８】
次に、エンジンの負荷が高い高負荷域側における燃料噴射量Ｑの制御方法について説明する。図５は、エンジンの運転状態が高負荷域側である、図１のＦ部を示し、燃料噴射量Ｑの算出方法を具体的に説明するための図である。尚、以下の説明においては、エンジンの運転状態が高負荷域側にある場合の特徴について詳述し、図２に示したエンジンの運転状態が低負荷域側にある場合と同様の燃料噴射量の算出方法については、適宜その説明を省略する。
【００２９】
エンジンの運転状態が高負荷域側にある場合も、エンジンの運転状態が低負荷域側にある場合と同様に、前記式（Ａ）に基づき、燃料噴射量Ｑｉ＋１を算出する。ここで、図４（ｂ）に例示したように、なまし係数ｍの値は、剥離回転数ＮＥｄｅｌが高くなるほど大きな値に設定され、高負荷域においては、その値が１を超える。なまし係数ｍの値が１を超えると、図５に示すように、燃料噴射量Ｑｉ＋１は、ガバナより算出される燃料噴射量Ｑｇｏｖよりも大きく決定される。ここで、例えば、Ｑｉ＋１をＱｇｏｖと等しくすると、エンジン回転数ＮＥが迅速に上がらず、エンジン回転数ＮＥの応答性が悪化する場合がある。しかし、本実施例のように、エンジン回転数ＮＥの変化に対する燃料噴射量Ｑの変化を、エンジンの運転状態が高負荷域側にある場合には、ＱｉからＱｇｏｖの値に変化しようとするよりも大きくするようになまし係数ｍを設定することにより、燃料噴射量Ｑは大きく変化しようとするので、その結果、エンジン回転数の応答性はよくなる。
【００３０】
以上より、エンジンの負荷状態を「剥離回転数ＮＥｄｅｌ」の値で判断し、この剥離回転数から、負荷状態に応じて予め設定したマップに基づきなまし係数ｍを求め、このなまし係数ｍに基づき燃料噴射量Ｑｉ＋１を算出して制御することにより、エンジンの負荷状態に応じた適切な燃料噴射量Ｑを決定することができる。その結果、エンジンの低負荷域側でのエンジン回転数の安定性、高負荷域側でのエンジン回転数の応答性をいずれも改善することが可能となる。特に、本実施例のように、フォークリフト用のエンジンに本発明に係る燃料噴射量の制御方法が用いられた場合、荷役運搬作業時において、エンジン回転数低下というエンジン回転数ＮＥの応答性悪化を抑制できる。また、荷役を運搬しない走行時には、エンジンのハンチングが抑制され走行状態を安定させることができる。尚、アクセル開度ＡＣＣＰ、エンジン回転数ＮＥ、および燃料噴射量Ｑにより決まるエンジンの運転状態がガバニング領域内にない場合は、公知の燃料噴射量制御により燃料噴射量は決定される。
【００３１】
また、本説明においては、エンジンに負荷が入った場合について述べたが、例えば、フォークリフトで運搬していた荷役を降ろした瞬間など、エンジンから負荷が抜けた場合も同様、「剥離回転数ＮＥｄｅｌ」を求めて、ＮＥｄｅｌからエンジンの負荷状態を判断し、図３に示した燃料噴射量の算出フローに基づき燃料噴射量Ｑを算出して制御することにより、エンジンの負荷状態に応じた適切な燃料噴射量Ｑを決定することができる。また、図４（ｂ）に示したように、各アクセル開度ＡＣＣＰに応じたなまし係数ｍを設定することが可能なため、エンジンの全回転域において安定した回転数制御性を実現することが可能となる。
【００３２】
以上、本発明の実施形態について説明したが、本発明は上述の実施の形態に限られるものではなく、特許請求の範囲に記載した限りにおいて様々に変更して実施することが可能なものである。
【図面の簡単な説明】
【００３３】
【図１】本発明の一実施形態に係る燃料噴射量の制御方法を説明するためのエンジンのエンジン回転数と燃料噴射量との関係を示す図である。
【図２】エンジンの運転状態が低負荷域側である図１のＥ部を示し、燃料噴射量の算出方法を具体的に説明するための図である。
【図３】燃料噴射量の算出フローを示す図である。
【図４】各アクセル開度における無負荷回転数の設定例、およびなまし係数のマップ例を示す図である。
【図５】エンジンの運転状態が高負荷域側である図１のＦ部を示し、燃料噴射量の算出方法を具体的に説明するための図である。
【符号の説明】
【００３４】
Ａ：ガバニング領域
Ｂ：ガバニングライン
ＮＥ：エンジン回転数
Ｑ：燃料噴射量
ＮＥｍａｘ：無負荷回転数（最高回転数）
ＮＥｄｅｌ：乖離回転数
ｍ：なまし係数
【図１】
2009002302.tif 000003
【図２】
2009002302.tif 000004
【図３】
2009002302.tif 000005
【図４】
2009002302.tif 000006
【図５】
2009002302.tif 000007